(57)【要約】      （修正有）【課題】積層端面の意匠性を向上させた樹脂シート成形品を提供する。【解決手段】複数の樹脂シートからなる装丁カバー１であって、シート状に形成された上方樹脂シート１０１と、上方樹脂シート１０１の下方に位置し、シート状に形成された下方樹脂シート１０２と、少なくとも上方樹脂シート１０１の所定の周縁部と該周縁部の下方に位置する下方樹脂シート１０２の所定の周縁部との間に介在する中間樹脂シート１０３とを備え、樹脂シート成形品の縁部端面Ｘ１において、上方樹脂シート１０１、下方樹脂シート１０２、及び中間樹脂シート１０３がそれぞれ露出する。【選択図】図１
0003224129.tif 000002
【実用新案登録請求の範囲】
【請求項１】
複数の樹脂シートからなる樹脂シート成形品であって、
シート状に形成された上方樹脂シートと、
前記上方樹脂シートの下方に位置し、シート状に形成された下方樹脂シートと、
少なくとも前記上方樹脂シートの所定の縁部と該縁部の下方に位置する前記下方樹脂シートの所定の縁部との間に介在する中間樹脂シートとを備え、
前記樹脂シート成形品の縁部端面において、前記上方樹脂シート、前記下方樹脂シート、及び中間樹脂シートがそれぞれ露出する
ことを特徴とする樹脂シート成形品。
【請求項２】
前記上方樹脂シート及び前記下方樹脂シートと、前記中間樹脂シートとは、互いに色が異なる
ことを特徴とする請求項１記載の樹脂シート成形品。
【請求項３】
前記樹脂シート成形品の縁部の厚みは、少なくとも前記中間樹脂シートが介在する範囲において略一定である
ことを特徴とする請求項１または請求項２記載の樹脂シート成形品。
【請求項４】
前記上方樹脂シートの所定の縁部以外の部分と、前記下方樹脂シートの所定の縁部以外の部分との間には、前記中間樹脂シートの厚さ分の空間が画成されており、該空間と連通する開口が少なくとも前記上方樹脂シートまたは前記下方樹脂シートに形成されている
ことを特徴とする請求項１〜請求項３のいずれか一項に記載の樹脂シート成形品。
【請求項５】
前記上方樹脂シートの裏面と前記中間樹脂シートの表面とが溶着されると共に、前記下方樹脂シートの上面と前記中間樹脂シートの裏面とが溶着される
ことを特徴とする請求項１〜請求項４のいずれか一項に記載の樹脂シート成形品。
【請求項６】
前記樹脂シート成形品の縁部は縫製されており、該縫製により前記上方樹脂シートと前記中間樹脂シートとが、及び前記下方樹脂シートと前記中間樹脂シートとがそれぞれ互いに密着して固定されている
ことを特徴とする請求項１〜請求項５のいずれか一項に記載の樹脂シート成形品。
【考案の詳細な説明】
【技術分野】
【０００１】
この明細書に開示される技術は、文房具・雑貨・表紙・装丁カバー・カードケース・生地等の樹脂シート成形品に関する。
【背景技術】
【０００２】
従来、この種の樹脂シート成形品としては、下記特許文献１記載のシート状積層構造体が知られている。このシート状積層構造体は、複数のシート状材料層を積層してなるものであり、その端部に高周波電圧をかけて加熱溶融することにより、溶融した材料によって積層端面が覆われている。このようにシート状積層構造体の端部が溶融した材料によって覆われることにより、シート状積層構造体の端部の厚みを増大させることなく、積層端面に信頼性の高い被覆部を効率よく形成している。
【先行技術文献】
【特許文献】
【０００３】
【特許文献１】特開平１０−０２４５０６号公報
【考案の概要】
【考案が解決しようとする課題】
【０００４】
しかしながら、上述の特許文献１に示される樹脂シート成形品は、積層端面が厚さ方向に潰された状態となっており、樹脂シート成形品の側方から当該端面を見ると段部が形成されているため意匠性が低下するという問題があった。
【０００５】
本考案は上述した問題点を解決するためになされたものであり、積層端面の意匠性を向上させた樹脂シート成形品を提供することを目的とする。
【課題を解決するための手段】
【０００６】
上述した課題を解決するため、本考案の一態様は、複数の樹脂シートからなる樹脂シート成形品であって、シート状に形成された上方樹脂シートと、前記上方樹脂シートの下方に位置し、シート状に形成された下方樹脂シートと、少なくとも前記上方樹脂シートの所定の縁部と該縁部の下方に位置する前記下方樹脂シートの所定の縁部との間に介在する中間樹脂シートとを備え、前記樹脂シート成形品の縁部端面において、前記上方樹脂シート、前記下方樹脂シート、及び中間樹脂シートがそれぞれ露出する。
【考案の効果】
【０００７】
本考案によれば、積層端面の意匠性を向上させた樹脂シート成形品を提供することができる。本考案のその他の効果については、以下の考案を実施するための形態の項でも説明する。
【図面の簡単な説明】
【０００８】
【図１】実施形態に係る装丁カバーを模式的に示す概略斜視図である。
【図２】実施形態に係る装丁カバーを開いた状態を模式的に示す概略正面図である。
【図３】図２に示されるＡ−Ａ線断面図である。
【図４】実施形態に係る装丁カバーを冊子に装着した状態を模式的に示す概略正面図である。
【図５】Ｌ＊ａ＊ｂ＊表色系の色度指数、彩度と明度との関係を表す説明図である。
【図６】他の実施形態に係るカードケースを示す概略斜視図である。
【考案を実施するための形態】
【０００９】
以下、本考案に係る実施形態について図面を参照しつつ説明する。なお、本実施形態においては、本考案に係る樹脂シート成形品として、手帳やダイアリのカバー、ノートカバー、ブックカバー等の装丁カバーを例にとり説明する。なお、本明細書及び図面において、実質的に同一の機能を有する構成要素については、同一の符号を付することにより重複説明を省略する。
【００１０】
図１は本実施形態に係る装丁カバーの概略斜視図であり、図２は装丁カバーを開いた状態を示す概略正面図である。図３は図２に示されるＡ−Ａ線断面図である。図１及び図２に示されるように、本実施形態に係る装丁カバー１は、上方樹脂シート１０１と下方樹脂シート１０２と、上方樹脂シート１０１及び下方樹脂シート１０２の間に介在された中間樹脂シート１０３とから構成された矩形をなす一枚の積層樹脂シート１０から構成されており、上方樹脂シート１０１が装丁カバー１の表面を、下方樹脂シート１０２が裏面をそれぞれ構成している。
【００１１】
中間樹脂シート１０３は、積層樹脂シート１０の周縁部Ｘにのみ配置されており、換言すれば、中間樹脂シート１０３上が周縁部Ｘとなっている。この周縁部Ｘにのみ中間樹脂シート１０３が配置されることにより、図３に示されるように、周縁部Ｘ以外の上方樹脂シート１０１及び下方樹脂シート１０２の間に中間樹脂シート１０３の厚み分の隙間として上方樹脂シート１０１、下方樹脂シート１０２、及び中間樹脂シート１０３に囲繞された収容空間Ｙが画成される。本実施形態においては、下方樹脂シート１０２に積層樹脂シート１０の長手方向中央に、当該方向に所定の長さを有して積層樹脂シート１０の短手方向に延在する矩形の開口１０４が形成されており、当該開口１０４は前述した収容空間Ｙと連通している。
【００１２】
図４は、本実施形態に係る装丁カバーを冊子に装着した状態を示す概略正面図である。例えば、この開口１０４内に冊子Ｚの背表紙を位置付けると共に、冊子Ｚの表紙Ｚ１を一方の収容空間Ｙへ挿入し、冊子Ｚの裏表紙Ｚ２を他方の収容空間Ｙへ挿入することにより冊子Ｚに装丁カバー１を装着させることができる。なお、符号Ｚ３は冊子Ｚの折丁を示している。
【００１３】
上方樹脂シート１０１、下方樹脂シート１０２、及び中間樹脂シート１０３は、同一材料からなる樹脂シートであり、ビニル系、オレフィン系プラスチック、または合成樹脂等のプラスチック材料を主原料として成形されるもので、特に高周波加工が容易なＰＶＣ（ポリ塩化ビニル）からなることが好ましい。上方樹脂シート１０１及び下方樹脂シート１０２と中間樹脂シート１０３とでは、含まれる顔料等の着色剤が異なっており、つまり樹脂シートの色が異なっている。例えば上方樹脂シート１０１及び下方樹脂シート１０２を黒色とし、中間樹脂シート１０３を鮮やかな緑色や赤色とする、または上方樹脂シート１０１及び下方樹脂シート１０２を鮮やかな青色や黄色とし、中間樹脂シート１０３を黒色とする等、一見して色の違いが認識できることが好ましい。
【００１４】
このような色の相違の一例としては、上方樹脂シート１０１及び下方樹脂シート１０２と中間樹脂シート１０３とで、図５に示されるようなＬ＊ａ＊ｂ＊表色系で彩度（√((ａ＊）２＋（ｂ＊）２)）が３０以上異なるか、またはＬ＊ａ＊ｂ＊表色系で色度指数ａ＊若しくはｂ＊が６０以上異なる色で着色されているか、またはＬ＊ａ＊ｂ＊表色系で彩度が３０以上の色で着色されるようにすること、好ましくは上方樹脂シート１０１の色と下方樹脂シート１０２の色とが、Ｌ＊ａ＊ｂ＊表色系でその明度（Ｌ＊）が３０以上異ならせるようにすること、が挙げられる。なお、上方樹脂シート１０１と下方樹脂シート１０２とにおいて、色が異なるようにしてもよい。
【００１５】
本実施形態においては、上方樹脂シート１０１の下面と中間樹脂シート１０３の上面との間には接着層が介在することなくこれらが面接触しており、この面接触部において分子レベルで結合されている。同様に、下方樹脂シート１０２の上面と中間樹脂シート１０３の下面との間には接着層が介在することなくこれらが面接触しており、この面接触部において分子レベルで結合されている。ここでの分子レベルで結合とは、例えば高周波等の加工により互いに溶着された状態が挙げられる。
【００１６】
このように上方樹脂シート１０１、下方樹脂シート１０２、及び中間樹脂シート１０３が貼り合わされて固着されているため、少なくとも積層樹脂シート１０の中間樹脂シート１０３が介在している周縁部Ｘの厚さは、略一定となっており、換言すれば周縁部Ｘの端面Ｘ１（図１参照）から内方にかけて厚みの変化が略生じていない。
【００１７】
本実施形態に係る積層樹脂シート１０は、図１及び図３に示されるように、上方樹脂シート１０１、下方樹脂シート１０２、及び中間樹脂シート１０３がその周縁部Ｘの端面Ｘ１（図１参照）において視認可能に露出されている。上方樹脂シート１０１及び下方樹脂シート１０２と、中間樹脂シート１０３とは異なる色に着色されているため、したがって端面Ｘ１に極めて意匠性の高い積層模様を形成することができる。
【００１８】
積層する樹脂シートがウレタンや合皮等である場合、その裁断面である縁部端面がそれぞれ略平面となっておらず、過度の凹凸（例えば毛羽立ち）等の荒れが生じることから積層樹脂シートの美観が損なわれる。このような縁部端面にコバ塗加工を施すことにより当該端面を塗り潰す手法が広く行われている。一方、一般的なウエルダ溶着では、上で述べたように溶着時に生じる積層樹脂シート縁部の潰れにより、このようなコバ塗加工を施す必要がないが、縁部に端面が形成されず、側方から見て段部が形成されることとなり同じく美観が損なわれる。しかしながら、本実施形態によれば、別途コバ塗加工を施すことなく、また縁部の潰れ及び段部が生じることなく、端面Ｘ１を形成でき、延いてはコバ塗風に見せて高級感を与えることができる。さらに、コバ塗加工やウエルダ溶着による縁部の潰れでは端面（または段部）が単色となってしまうところ、本実施形態によれば様々な配色の積層模様を形成可能なことから端面Ｘ１に自由度の高いデザイン性を持たせることができる。この効果は、積層樹脂シート１０の厚さを２ｍｍ程度にする等、装丁カバーとしては比較的厚くすることでより顕著なものとすることができると共に、重量感からより高級感を与えることができる。なお、端面Ｘ１は意匠性の観点から略平面状に形成されていることが好ましい。
【００１９】
また、上述したように、従来のような積層端面が潰れ周縁に段部が形成されることなく、周縁部Ｘの厚さが略一定となっているため、装丁カバー１の特に周縁部Ｘの外観にすっきりとした印象を与え、意匠性をさらに向上させることができる。また、中間樹脂シート１０３は、周縁部Ｘにのみ配置されているため、樹脂シート材料を節約できると共に、冊子Ｚの表紙Ｚ１及び裏表紙Ｚ２を収容する収容空間Ｙを併せて画成することができ、収容空間としてのポケットを別体として設ける従来と比較して低コスト化を実現できる。
【００２０】
なお、中間樹脂シート１０３の厚みを上方樹脂シート１０１及び下方樹脂シート１０２より厚くすることにより、上方樹脂シート１０１及び下方樹脂シート１０２と中間樹脂シート１０３との色の相違を強調してさらに意匠性を向上させるようにしてもよい。
【００２１】
また、上方樹脂シート１０１及び下方樹脂シート１０２と中間樹脂シート１０３との間に、これらを接着するために接着層を介在させるようにしてもよいが、意匠性の観点から、接着層を介在させることなく上方樹脂シート１０１、下方樹脂シート１０２、及び中間樹脂シート１０３が互いに固着する構成とすることが好ましい。
【００２２】
また、本実施形態においては上方樹脂シート１０１の下面と中間樹脂シート１０３の上面とが、及び下方樹脂シート１０２の上面と中間樹脂シート１０３の下面とがそれぞれ分子レベルで結合していると説明したが、このような結合をしておらず、縫製により互いに固定するようにしてもよい。例えば、上方樹脂シート１０１、下方樹脂シート１０２、及び中間樹脂シート１０３をそれぞれ貫通するように、積層樹脂シート１０の周縁部Ｘの各辺に沿って直線状に縫製することで、上方樹脂シート１０１と中間樹脂シート１０３とが、及び下方樹脂シート１０２と中間樹脂シート１０３とがそれぞれ互いに密着され固定されることとなる。このように積層樹脂シート１０の周縁部Ｘに縫製を行うことで、高級感を創出してより意匠性を高めることができる。なお、本実施形態に係る上述した分子レベルでの結合に加え、さらに縫製を加えるようにしてもよい。
【００２３】
また、本実施形態においては、積層樹脂シート１０が上方樹脂シート１０１、下方樹脂シート１０２、及び中間樹脂シート１０３の３層構造であると説明したが、これに限定されるものではなく、４層、５層等のより多層に形成し、さらに意匠性の高い積層模様を形成するようにしてもよい。
【００２４】
なお、本実施形態においては樹脂シート成形品として装丁カバーを説明したが、他の様々な成形品に本発明を適用するようにしてもよい。例えば、図６に示されるような、上方樹脂シート１０１、下方樹脂シート１０２、及び中間樹脂シート１０３を有して収容空間Ｙ（不図示）を画成し、当該収容空間Ｙに連通する開口１０４’を積層樹脂シート１０の長手方向一端部にのみ設けた、具体的には長手方向一端部に中間樹脂シート１０３を配置しないことにより開口１０４’を設けたカードホルダ１’としてもよい。このカードホルダ１’を使用する場合は、開口１０４’からカードを収容空間Ｙに挿入するようにすればよい。その他の形態としては、マウスパッド・デスクマット・下敷き等の文房具、雑貨、表紙、生地や、カードケース・鞄・ポーチ・小物ケース・トレイ・ボックス・財布等の収容具等が挙げられる。
【００２５】
本考案は、その要旨または主要な特徴から逸脱することなく、他の様々な形で実施することができる。そのため、前述の実施形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２６】
１  装丁カバー（樹脂シート成形品）
１０  積層樹脂シート（樹脂シート成形品）
１０１  上方樹脂シート
１０２  下方樹脂シート
１０３  中間樹脂シート
Ｘ  周縁部（縁部）
Ｘ１  端面（縁部端面）
Ｙ  収容空間（空間）
【図１】
0003224129.tif 000003
【図２】
0003224129.tif 000004
【図３】
0003224129.tif 000005
【図４】
0003224129.tif 000006
【図５】
0003224129.tif 000007
【図６】
0003224129.tif 000008